(57)【要約】【課題】扉が短い間隔で開閉されることによる液バックを抑制すること。【解決手段】マイコン３１Ａは、断熱扉１２が開かれたことが人感センサ３２によって検知されると、庫内ファン２７の単位時間当たりの回転数を、断熱扉１２が閉じられているときの庫内ファン２７の回転数である第１の回転数より低い第２の回転数以下まで下げ、その後に所定の条件が成立すると庫内ファン２７を第１の回転数で回転させるファン制御処理を実行し、ファン制御処理によって庫内ファン２７の回転数を第２の回転数以下まで下げた時から時間Ｔ１が経過する前に断熱扉１２が開かれたことが人感センサ３２によって検知された場合は、ファン制御処理を実行せず、庫内ファン２７を第２の回転数より高い回転数で回転させる、冷蔵庫１。【選択図】図６
2020085406.tif 000002
【特許請求の範囲】
【請求項１】
開口を有する貯蔵庫本体と、
前記開口を開閉する扉と、
冷凍回路と、
前記冷凍回路によって冷却された冷気を庫内に循環させる庫内ファンと、
前記扉が開かれたことを検知する検知部と、
制御部と、
を備え、
前記制御部は、
前記扉が開かれたことが前記検知部によって検知されると、前記庫内ファンの単位時間当たりの回転数を、前記扉が閉じられているときの前記庫内ファンの回転数である第１の回転数より低い第２の回転数以下まで下げ、その後に所定の条件が成立すると前記庫内ファンを前記第１の回転数で回転させるファン制御処理を実行し、
前記ファン制御処理によって前記庫内ファンの回転数を前記第２の回転数以下まで下げた時から第１の時間が経過する前に前記扉が開かれたことが前記検知部によって検知された場合は、前記ファン制御処理を実行せず、前記庫内ファンを前記第２の回転数より高い回転数で回転させる、冷却貯蔵庫。
【請求項２】
請求項１に記載の貯蔵庫であって、
前記所定の条件は、前記庫内ファンの回転数を前記第２の回転数以下まで下げた時から前記第１の時間より短い第２の時間が経過したことである、冷却貯蔵庫。
【請求項３】
請求項１に記載の貯蔵庫であって、
前記検知部は前記扉の開閉を検知し、
前記所定の条件は、前記扉が閉じられたことが前記検知部によって検知されたことである、冷却貯蔵庫。
【請求項４】
請求項１乃至請求項３のいずれか一項に記載の貯蔵庫であって、
前記制御部は、前記ファン制御処理において、前記扉が開かれたことが前記検知部によって検知されると、前記庫内ファンの回転を停止させる、冷却貯蔵庫。
【請求項５】
請求項１乃至請求項４のいずれか一項に記載の貯蔵庫であって、
前記第２の回転数より高い回転数は、前記第１の回転数である、冷却貯蔵庫。
【請求項６】
請求項１乃至請求項４のいずれか一項に記載の貯蔵庫であって、
前記第２の回転数より高い回転数は、前記第１の回転数より低い回転数である、冷却貯蔵庫。
【発明の詳細な説明】
【技術分野】
【０００１】
本明細書で開示する技術は冷却貯蔵庫に関する。
【背景技術】
【０００２】
従来、冷凍回路によって冷却された冷気を庫内に循環させる庫内ファンを備える冷却貯蔵庫において、冷却貯蔵庫の扉が開かれると、外気を庫内に取り込んで拡散させないために庫内ファンを停止させるものが知られている（例えば、特許文献１参照）。具体的には、特許文献１に記載の冷蔵庫は、ドア側に向けて庫内に設けた熱線センサを備えており、ドアが開いたことが熱線センサによって検出されると冷気攪拌ファンを止めるものである。
【先行技術文献】
【特許文献】
【０００３】
【特許文献１】特開２００６−２６６５８２号公報
【発明の概要】
【発明が解決しようとする課題】
【０００４】
しかしながら、上述した特許文献１では扉が短い間隔で開閉される場合の課題について検討されていなかった。
本明細書では、扉が短い間隔で開閉されることによる液バックを抑制する技術を開示する。
【課題を解決するための手段】
【０００５】
本明細書で開示する冷却貯蔵庫は、開口を有する貯蔵庫本体と、前記開口を開閉する扉と、冷凍回路と、前記冷凍回路によって冷却された冷気を庫内に循環させる庫内ファンと、前記扉が開かれたことを検知する検知部と、制御部と、を備え、前記制御部は、前記扉が開かれたことが前記検知部によって検知されると、前記庫内ファンの単位時間当たりの回転数を、前記扉が閉じられているときの前記庫内ファンの回転数である第１の回転数より低い第２の回転数以下まで下げ、その後に所定の条件が成立すると前記庫内ファンを前記第１の回転数で回転させるファン制御処理を実行し、前記ファン制御処理によって前記庫内ファンの回転数を前記第２の回転数以下まで下げた時から第１の時間が経過する前に前記扉が開かれたことが前記検知部によって検知された場合は、前記ファン制御処理を実行せず、前記庫内ファンを前記第２の回転数より高い回転数で回転させる。
【０００６】
上記の冷却貯蔵庫の効果について、比較例に係る冷却貯蔵庫の制御を参照しつつ説明する。
図８は、比較例に係る冷却貯蔵庫の制御を示すタイミングチャートである。比較例に係る冷却貯蔵庫は人感センサ機能付き庫内灯を備えており、ユーザ（人）が扉を開けると人感センサによって人が検知される。人感センサ機能付き庫内灯は人感センサによって人を検知すると（すなわち扉が開かれると）、庫内灯を時間Ｔ３（例えば３０秒）点灯させる。
比較例に係る冷却貯蔵庫は庫内灯の点灯／消灯がドア開閉信号と連動しており、庫内光が点灯すると冷却貯蔵庫の制御部にドア開閉信号が出力される。制御部はドア開閉信号が出力されると外気を庫内に取り込んで拡散させないために庫内ファンを時間Ｔ２（例えば２０秒）停止させる。
しかしながら、比較例に係る冷却貯蔵庫によると、図８に示すように扉が時間Ｔ３に近い間隔（例えば４０秒）で開閉されると庫内ファンが頻繁に停止する。庫内ファンが頻繁に停止すると冷凍回路の蒸発器での熱交換が不十分になる。通常、冷凍回路の圧縮機から送り出された冷媒は気体の状態で圧縮機に戻るが、蒸発器での熱交換が不十分になると気体にならずに液体の状態で圧縮機に戻る所謂液バックが起きる可能性がある。液バックが起きると圧縮機の負荷が増大する。圧縮機の負荷が増大すると消費電力が増大する上、圧縮機の故障にもつながる。
上記の冷却貯蔵庫によると、ファン制御処理によって庫内ファンの回転数を第２の回転数以下まで下げた時から第１の時間が経過する前に扉が開かれた場合は、ファン制御処理を実行せず、庫内ファンを第２の回転数より高い回転数で回転させる。このため扉が短い間隔で開閉されても庫内ファンの単位時間当たりの回転数が頻繁に第２の回転数以下まで低下すること（停止することを含む）が抑制される。これにより液バックが抑制され、圧縮機の負担が軽減される。このため消費電力の増大を抑制できる上、圧縮機が故障する可能性も低減できる。
【０００７】
前記所定の条件は、前記庫内ファンの回転数を前記第２の回転数以下まで下げた時から前記第１の時間より短い第２の時間が経過したことであってもよい。
【０００８】
上記の冷却貯蔵庫によると、庫内ファンの回転数を第２の回転数以下まで下げた時から第２の時間が経過しても庫内ファンを第２の回転数以下で回転させる場合に比べ、庫内ファンの単位時間当たりの回転数が低下することを抑制できる。
【０００９】
前記検知部は前記扉の開閉を検知し、前記所定の条件は、前記扉が閉じられたことが前記検知部によって検知されたことであってもよい。
【００１０】
上記の冷却貯蔵庫によると、扉が閉じられたタイミングで庫内ファンの回転を再開するので、扉が閉じられる前に庫内ファンを回転させることによって外気が庫内に取り込まれることを抑制できる。
【００１１】
前記制御部は、前記ファン制御処理において、前記扉が開かれたことが前記検知部によって検知されると、前記庫内ファンの回転を停止させてもよい。
【００１２】
上記の冷却貯蔵庫によると、扉が開かれると庫内ファンを完全に停止させるので、外気が庫内に取り込まれることをより確実に抑制できる。
【００１３】
前記第２の回転数より高い回転数は、前記第１の回転数であってもよい。
【００１４】
上記の冷却貯蔵庫によると、第２の回転数より高い回転数は扉が閉じられているときの回転数である第１の回転数であるので、第１の回転数より低い場合に比べ、液バックをより確実に抑制できる。
【００１５】
前記第２の回転数より高い回転数は、前記第１の回転数より低い回転数であってもよい。
【００１６】
上記の冷却貯蔵庫によると、第２の回転数より高い回転数は第１の回転数より低い回転数であるので、第１の回転数で回転させる場合に比べ、外気が庫内に取り込まれることを抑制できる。
【図面の簡単な説明】
【００１７】
【図１】実施形態１に係る冷却貯蔵庫の正面図
【図２】冷却貯蔵庫の断面図
【図３】冷却貯蔵庫の斜視図
【図４】冷却貯蔵庫の電気的構成を示すブロック図
【図５】人感センサ機能付き庫内灯及び制御基板の電気的構成を示すブロック図
【図６】冷却貯蔵庫の制御を示すタイミングチャート
【図７】実施形態２に係る冷却貯蔵庫の制御を示すタイミングチャート
【図８】比較例に係る冷却貯蔵庫の制御を示すタイミングチャート
【発明を実施するための形態】
【００１８】
＜実施形態１＞
以下、実施形態を図１ないし図６によって説明する。以降の説明では図１に示すＸ方向を左右方向、Ｚ方向を上下方向、図３に示すＹ方向を前後方向という。また、以降の説明において回転数とは単位時間当たりの回転数のことをいう。
【００１９】
（１）冷蔵庫の構成
図１に示すように、実施形態１に係る冷却貯蔵庫としての冷蔵庫１は２ドア式の横型（テーブル型）の冷蔵庫である。冷蔵庫１は前側に開口した横長の断熱箱体からなる貯蔵庫本体１１、貯蔵庫本体１１の開口を開閉する左右一対の観音開き式の断熱扉１２（扉の一例）、及び、貯蔵庫本体１１の左側に配されている機械室１３を備えている。
【００２０】
貯蔵庫本体１１の開口には左右方向の中央において上下方向に延びる角柱状のセンターピラー１４が設けられている。貯蔵庫本体１１の開口はセンターピラー１４によって左右に仕切られている。
機械室１３の前面には操作パネル１５が設けられている。操作パネル１５は庫内温度などの各種の情報を表示する表示部や、ユーザが各種の設定を行うための操作ボタンなどを備えている。
【００２１】
図２に示すように、貯蔵庫本体１１は左側の上部が機械室１３側に張り出しており、機械室１３側に張り出している部分が冷却室１６を構成している。冷却室１６の右側にはダクト１７が設けられており、ダクト１７によって貯蔵庫本体１１の内部が冷却室１６と貯蔵室１８とに仕切られている。ダクト１７の下側には庫内の空気を冷却室１６内に吸い込むための吸い込み口５２が設けられている。ダクト１７の上側には冷却室１６で冷却された空気を庫内に吹き出すための吹き出し口５３が設けられている。
【００２２】
機械室１３には冷却ユニット１９（冷凍回路の一例）が収容されている。図４に示すように、冷却ユニット１９はインバータ圧縮機２０、凝縮器２１、ドライヤ２２、減圧機構２３（キャピラリチューブ等）及び蒸発器２４を有しており、これらが冷媒配管２５によって循環接続されている。また、冷却ユニット１９は凝縮器ファン２６も有している。
【００２３】
図２に示すように、機械室１３内において冷却室１６の外（すなわち庫外）にはインバータ圧縮機２０及び凝縮器２１が配されている。ドライヤ２２、減圧機構２３及び凝縮器ファン２６も機械室１３内において冷却室１６の外に配されている。
冷却室１６内には蒸発器２４、庫内ファン２７及び庫内サーミスタ２９が配されている。庫内ファン２７は蒸発器２４によって冷却された空気を貯蔵室１８内（以下、単に庫内という）に循環させるためのものである。庫内ファン２７が回転すると庫内の空気が吸い込み口５２から冷却室１６内に吸い込まれ、蒸発器２４によって冷却されて吹き出し口５３から庫内に吹き出される。庫内サーミスタ２９は庫内温度を検知するためのものであり、吸い込み口５２と蒸発器２４との間に配されている。
【００２４】
図３に示すように、貯蔵室１８の天井面１８Ａには人感センサ機能付き庫内灯３０が設けられている。詳しくは後述するが、人感センサ機能付き庫内灯３０は人を検知する人感センサ３２（図５参照、検知部の一例）と庫内を照明するＬＥＤ３３（図５参照）とを備えている。人感センサ３２は貯蔵室１８の内側から断熱扉１２側を向くように配されており、冷蔵庫１の前にいる人が断熱扉１２を開くと人感センサ３２によって人が検知される。人感センサ機能付き庫内灯３０は人感センサ３２によって人を検知するとＬＥＤ３３を時間Ｔ３（本実施形態では３０秒）点灯させる。
【００２５】
（２）冷蔵庫の電気的構成
図４を参照して、冷蔵庫１の電気的構成について説明する。冷蔵庫１は制御基板３１を備えている。制御基板３１にはＣＰＵやＲＡＭなどが１チップ化されたマイクロコンピュータ３１Ａ（図５参照、制御部の一例、以下、マイコン３１Ａという）や図示しないメモリなどが実装されている。また、制御基板３１にはインバータ圧縮機２０、凝縮器ファン２６、庫内ファン２７、庫内サーミスタ２９、人感センサ機能付き庫内灯３０、操作パネル１５などが電気的に接続されている。
【００２６】
図５を参照して、人感センサ機能付き庫内灯３０の電気的構成について説明する。人感センサ機能付き庫内灯３０は基板３４、センサ部３５、増幅回路３６、比較回路３７、タイマ回路３８、トランジスタＱ１、トランジスタＱ２、及び、複数のＬＥＤ３３を備えている。
【００２７】
センサ部３５は赤外線を受光する焦電型の赤外線センサであり、焦電素子と、焦電素子を前方から覆う半球状のレンズとを備えている。断熱扉１２が閉状態から開状態になると赤外線センサの検知可能領域内の温度（赤外線量）が変化することから、この温度変化を赤外線センサによって検知することで人が検知される。
【００２８】
センサ部３５は検知した赤外線の量に応じた電圧を増幅回路３６に出力する。増幅回路３６に出力された電圧は増幅回路３６によって増幅されて比較回路３７に出力される。比較回路３７は増幅回路３６から出力された電圧がリファレンス電圧より大きい場合は人が検知されたとしてタイマ回路３８に信号を出力する。
【００２９】
タイマ回路３８は比較回路３７から信号が出力されるとトランジスタＱ１及びＱ２をオンにする。トランジスタＱ１をオンにすると制御基板３１から供給される電力によってＬＥＤ３３が点灯する。また、トランジスタＱ２をオンにするとマイコン３１Ａにドア開閉信号が出力される。タイマ回路３８はトランジスタＱ１及びＱ２をオンにした時から時間Ｔ３（３０秒）が経過するとトランジスタＱ１及びＱ２をオフにする。これによりＬＥＤ３３が消灯するとともに、ドア開閉信号の出力が停止する。
【００３０】
（３）ファン制御処理
マイコン３１Ａは各種の制御処理を実行する。ここではマイコン３１Ａによって実行される制御処理のうちファン制御処理について説明する。ファン制御処理は庫内ファン２７の回転を制御する処理である。
【００３１】
先ず、ファン制御処理の概略について説明する。マイコン３１Ａは、断熱扉１２が閉じられているときは庫内ファン２７を所定の回転数（第１の回転数の一例）で回転させる。そして、マイコン３１Ａは人感センサ機能付き庫内灯３０からドア開閉信号（最初のドア開閉信号）が出力されると、外気が庫内に取り込まれることを抑制するために庫内ファン２７を停止（第２の回転数の一例）させ、その後に所定の条件が成立すると庫内ファン２７を再び所定の回転数で回転させる（ファン制御処理）。
【００３２】
実施形態１に係る所定の条件は、庫内ファン２７を停止させたときから、ＬＥＤ３３を点灯させる時間Ｔ３（３０秒）より短い時間Ｔ２（本実施形態では２０秒、第２の時間の一例）が経過したことである。
【００３３】
マイコン３１Ａは、時間Ｔ２が経過して庫内ファン２７を再び所定の回転数で回転させた後、人感センサ機能付き庫内灯３０からドア開閉信号（２回目のドア開閉信号）が出力されると、前回庫内ファン２７を停止させたとき（ここでは最初のドア開閉信号が出力されて庫内ファン２７を停止させたとき）から、ＬＥＤ３３の点灯時間である時間Ｔ３より十分に長い時間Ｔ１（１分や２分など、第１の時間の一例）が経過しているか否かを判断し、時間Ｔ１が経過している場合はファン制御処理を実行する（すなわち庫内ファン２７を２０秒間停止させる）。これに対し、時間Ｔ１が経過していない場合は、マイコン３１Ａはドア開閉信号（２回目のドア開閉信号）が出力されてもファン制御処理を実行せず、庫内ファン２７を所定の回転数（第２の回転数より高い回転数）で回転させ続ける。
【００３４】
図６を参照してより具体的に説明する。図６において時点Ｐ１は冷蔵庫１のユーザが断熱扉１２を開いた時点（１回目に開かれた時点）を示している。前述したように断熱扉１２が開かれるとＬＥＤ３３が時間Ｔ３（３０秒）点灯するとともにドア開閉信号がオンになる。
マイコン３１Ａは時点Ｐ１でドア開閉信号がオンになると庫内ファン２７を時間Ｔ２（２０秒）停止させ、時間Ｔ２が経過すると庫内ファン２７を再び所定の回転数で回転させる（時点Ｐ２）。
【００３５】
時点Ｐ３は時点Ｐ１から時間Ｔ３が経過した時点である。前述したようにタイマ回路３８は時点Ｐ１から時間Ｔ３が経過するとトランジスタＱ１及びＱ２をオフにする。このため時点Ｐ３でＬＥＤ３３が消灯されるとともにドア開閉信号がオフになる。
時点Ｐ４はユーザによって次に断熱扉１２が開かれた時点（２回目に開かれた時点）である。この場合もＬＥＤ３３が点灯するとともにドア開閉信号がオンになる。しかしながら、時点Ｐ４は前回庫内ファン２７を停止した時点Ｐ１から時間Ｔ１（１分や２分など）以上経過していない。時間Ｔ１以上経過していない場合は、マイコン３１Ａは庫内ファン２７を停止させずに所定の回転数（第２の回転数より高い回転数の一例）で回転させ続ける。
【００３６】
時点Ｐ５はユーザによって次に断熱扉１２が開かれた時点（３回目に開かれた時点）である。時点Ｐ５は前回庫内ファン２７が停止された時点Ｐ１から時間Ｔ１以上が経過している。このため、この場合は、マイコン３１Ａは庫内ファン２７を停止させる。以下、同様である。
【００３７】
（４）実施形態の効果
実施形態１に係る冷蔵庫１によると、ファン制御処理によって庫内ファン２７を停止させた時から時間Ｔ１が経過する前に断熱扉１２が開かれた場合は、ファン制御処理を実行せず、庫内ファン２７を所定の回転数（第２の回転数より高い回転数）で回転させる。このため断熱扉１２が短い間隔で開閉されても庫内ファン２７の単位時間当たりの回転数が低下することが抑制される。これにより液バックが抑制され、圧縮機の負担が軽減される。このため消費電力の増大を抑制できる上、圧縮機が故障する可能性も低減できる
【００３８】
冷蔵庫１によると、所定の条件は、庫内ファン２７を停止させた時（第２の回転数以下まで下げた時）から時間Ｔ２が経過したことである。すなわち、冷蔵庫１によると、庫内ファン２７を停止させた時から時間Ｔ２が経過すると庫内ファン２７を回転させるので、庫内ファン２７を停止させたままにする場合に比べ、庫内ファン２７の単位時間当たりの回転数が低下することを抑制できる。
また、庫内ファン２７を停止させている時間が長いと庫内温度が上昇し、貯蔵室１８に収納されている食材に影響することが懸念される。断熱扉１２が開かれたままでも時間Ｔ２が経過すると庫内ファン２７を回転させると食材への影響も低減できる。
【００３９】
冷蔵庫１によると、第１の回転数より低い第２の回転数は０回転（すなわち停止）であるので、断熱扉１２が開かれると庫内ファン２７が完全に停止する。このため外気が庫内に取り込まれることをより確実に抑制できる。
【００４０】
冷蔵庫１によると、第２の回転数（停止）より高い回転数は断熱扉１２が閉じられているときの回転数である所定の回転数（第１の回転数）であるので、所定の回転数より低い場合に比べ、液バックをより確実に抑制できる。
【００４１】
＜実施形態２＞
前述した実施形態１では断熱扉１２が閉じられている間は庫内ファン２７を所定の回転数で回転させ、時点Ｐ１で断熱扉１２が開かれると庫内ファン２７を停止させる。これに対し、図７に示すように、実施形態２に係るマイコン３１Ａは、断熱扉１２が閉じられている間は庫内ファン２７を高速（第１の回転数の一例）で回転させ、時点Ｐ１で断熱扉１２が開かれると、庫内ファン２７を完全に停止させるのではなく、低速（第２の回転数）で回転させる。
【００４２】
また、図７に示すように、マイコン３１Ａは、庫内ファン２７を低速で回転させた時（時点Ｐ１）から時間Ｔ１が経過する前に断熱扉１２が開かれた場合は（時点Ｐ４）、庫内ファン２７を高速（断熱扉１２が閉じられている時と同じ回転数）で回転させるのではなく、中速（第２の回転数より高く、且つ、第１の回転数より低い回転数）で回転させる。
【００４３】
実施形態２に係る冷蔵庫１によると、時点Ｐ１で断熱扉１２が開かれても庫内ファン２７を完全に停止させるのではなく低速で回転させるので、完全に停止させる場合に比べて外気が庫内に取り込まれることを抑制する効果は低下するが、液バックをより確実に抑制できる。
【００４４】
冷蔵庫１によると、第２の回転数より高い回転数は中速（第１の回転数より低い回転数）であるので、高速（第１の回転数）で回転させる場合に比べ、外気が庫内に取り込まれることを抑制できる。
【００４５】
＜実施形態３＞
前述した実施形態１では断熱扉１２が開かれたことを人感センサ機能付き庫内灯３０によって検知する。これに対し、実施形態３に係る冷蔵庫１は断熱扉１２の開閉を直接検知するドア開閉センサ（検知部の一例）を備えている。ドア開閉センサは、例えば断熱扉１２側に設けられているマグネットと、貯蔵庫本体１１側に設けられているリードスイッチとを有している。断熱扉１２が開かれるとマグネットがリードスイッチから遠ざかることでリードスイッチが作動し、断熱扉１２が開かれたことが検知される。逆に、断熱扉１２が閉じられるとマグネットがリードスイッチに近づくことで断熱扉１２が閉じられたことが検知される。
【００４６】
実施形態３に係る所定の条件は、断熱扉１２が閉じられたことがドア開閉センサによって検知されたことである。具体的には、実施形態３に係るマイコン３１Ａは、断熱扉１２が開かれたことをドア開閉センサによって検知すると庫内ファン２７を停止させ、断熱扉１２が閉じられたことをドア開閉センサによって検知すると庫内ファン２７の回転を再開する。
【００４７】
実施形態３に係る冷蔵庫１によると、断熱扉１２が閉じられたタイミングで庫内ファン２７の回転を再開するので、断熱扉１２が閉じられる前に庫内ファン２７の回転を再開することによって外気が庫内に取り込まれることを抑制できる。
【００４８】
＜他の実施形態＞
本明細書によって開示される技術は上記記述及び図面によって説明した実施形態に限定されるものではなく、例えば次のような実施形態も本明細書によって開示される技術的範囲に含まれる。
【００４９】
（１）上記実施形態では人感センサ３２として赤外線センサを例に説明したが、人感センサ３２はこれに限定されるものではなく、人を検知できる任意のセンサを用いることができる。
【００５０】
（２）上記実施形態１では断熱扉１２が開かれると庫内ファン２７を停止させることによって庫内ファン２７の単位時間当たりの回転数を第１の回転数より低い第２の回転数以下まで下げる場合を例に説明した。また、上記実施形態２では断熱扉１２が開かれると庫内ファン２７を低速で回転させることによって庫内ファの単位時間当たりの回転数を第１の回転数より低い第２の回転数以下まで下げる場合を例に説明した。
【００５１】
これに対し、断熱扉１２が開かれると庫内ファン２７を間欠的に回転させることによって単位時間当たりの回転数を第２の回転数以下まで下げてもよい。例えば、断熱扉１２が開かれた時から時間Ｔ２が経過するまでの間、庫内ファン２７を高速で回転させることを間欠的に繰り返してもよい。その場合はその間の庫内ファン２７の総回転数を時間Ｔ２で除算した値（すなわち単位時間当たりの回転数）が第２の回転数以下となるように庫内ファン２７の回転時間及び停止時間を設定すればよい。
【００５２】
（３）上記実施形態では断熱扉１２が開かれたことを検知する検知部として人感センサ３２やドア開閉センサを例に説明したが、検知部はこれらに限られない。例えば検知部は庫内サーミスタ２９であってもよい。具体的には、断熱扉１２が開かれると庫内温度が上昇する。このため、例えば庫内サーミスタ２９によって検知された最低温度を記憶しておき、最低温度から所定温度以上上昇したら断熱扉１２が開かれたと判断してもよい。あるいは設定温度より所定温度以上高い温度が検知されたら断熱扉１２が開かれたと判断してもよい。あるいは単位時間当たりの温度の上昇幅が所定値以上であれば断熱扉１２が開かれたと判断してもよい。
【００５３】
（４）上記実施形態では冷却貯蔵庫として冷蔵庫を例に説明したが、冷却貯蔵庫は冷凍庫であってもよい。
【符号の説明】
【００５４】
１…冷蔵庫（貯蔵庫本体の一例）、１２…断熱扉（扉の一例）、２７…庫内ファン、１９…冷却ユニット（冷凍回路の一例）、３１Ａ…マイクロコンピュータ（制御部の一例）、３２…人感センサ（検知部の一例）
【図１】
2020085406.tif 000003
【図２】
2020085406.tif 000004
【図３】
2020085406.tif 000005
【図４】
2020085406.tif 000006
【図５】
2020085406.tif 000007
【図６】
2020085406.tif 000008
【図７】
2020085406.tif 000009
【図８】
2020085406.tif 000010